(57)【特許請求の範囲】
【請求項１】
連続して配置される複数の太陽光モジュールを所定の位置に固定する太陽光モジュール固定装置であって、
前記太陽光モジュールの裏面と接し前記太陽光モジュールの並び方向に沿って延びる一対の支持板部を備え、前記一対の支持板部の間に開口部が形成された棒状のラック部材と、
前記開口部に配置され、前記太陽光モジュールの表面に係合する押圧部を備え、前記太陽光モジュールを前記押圧部と前記支持板部との間で挟み込む押さえ具と、
前記支持板部の裏面側に配置され、前記支持板部の裏面に圧接する圧接部を備え、前記押さえ具を前記ラック部材に固定するための固定具と、
前記押さえ具と前記固定具を締結し、前記押圧部と前記圧接部との間で前記支持板部と前記太陽光モジュールを締め付けるためのネジと、
を備え、
前記固定具は、前記固定具の一部に一体に構成され、前記押さえ具と前記支持板部との間に挟み込まれる２つの前記太陽光モジュールの一方側であって、且つ、前記押さえ具の前記押圧部と前記太陽光モジュールの厚み方向に重なる位置に、前記押圧部へ向かって設けられた、前記太陽光モジュールを裏面側から接地するアース部を備えることを特徴とする太陽光モジュール固定装置。
【請求項２】
前記押さえ具は、前記押圧部を一端に備えた第１部分と、
この第１部分の前記押圧部から離間した他端に設けた折り曲げ部を介して前記第１部分と直交する方向に延びた第２部分と、
この第２部分の前記折り曲げ部から離間した延出端に設けた別の押圧部と、
前記第１部分に設けた前記押圧部を前記太陽光モジュールの前記表面に係合させる第１の姿勢に当該押さえ具を配置した状態で前記ネジを挿通するように前記第２部分に設けた第１のネジ孔と、
前記第２部分に設けた前記別の押圧部を前記太陽光モジュールの前記表面に係合させる第２の姿勢に当該押さえ具を配置した状態で前記ネジを挿通するように前記第１部分に設けた第２のネジ孔と、を有し、
前記押圧部が前記太陽光モジュールの前記表面を押圧する押圧面と前記折り曲げ部との間の前記第１部分の長さは、前記別の押圧部が前記太陽光モジュールの前記表面を押圧する押圧面と前記折り曲げ部との間の前記第２部分の長さと異なることを特徴とする請求項１に記載の太陽光モジュール固定装置。
【請求項３】
前記ラック部材は、前記一対の支持板部を前記開口部と反対側でつなげた中空棒状に形成されていることを特徴とする請求項１に記載の太陽光モジュール固定装置。
【請求項４】
前記ラック部材は、前記固定具と前記押さえ具により圧接され、前記固定具の前記開口部の方向への移動を規制する第１顎部を内壁に備えていることを特徴とする請求項３に記載の太陽光モジュール固定装置。
【請求項５】
前記押圧部は、第１太陽光モジュールの表面と係合する第１押圧部と、前記第１太陽光モジュールを固定した後に前記第１太陽光モジュールに隣接して設置される第２太陽光モジュールの表面と係合する第２押圧部とを備え、
前記第２押圧部の前記第２太陽光モジュールの表面に係合する第２係合面と前記支持板部との距離は、前記第１押圧部の前記第１太陽光モジュールの表面に係合する第１係合面と前記支持板部との距離よりも大きく形成されていることを特徴とする請求項１に記載の太陽光モジュール固定装置。
【請求項６】
前記アース部は、前記押さえ具と前記支持板部との間に挟み込まれる２つの前記太陽光モジュールの軒側の前記太陽光モジュールに配置されることを特徴とする請求項１に記載の太陽光モジュール固定装置。
【請求項７】
前記固定具は、前記太陽光モジュールとの間に前記ネジを収容するための凹部が設けられていることを特徴とする請求項１に記載の太陽光モジュール固定装置。
【発明の詳細な説明】
【技術分野】
【０００１】
本発明の実施形態は、太陽光モジュールを固定する太陽光モジュール固定装置に関する。
【背景技術】
【０００２】
従来、例えば、太陽光モジュールを屋根に設置する場合、始めに、架台となるラック部材を屋根の棟から軒へ沿わせて固定する。次に、固定されたラック部材の上に複数枚の太陽光モジュールを並べて固定する。このとき、隣接する太陽光モジュールの間に押さえ具を挿入してラック部材に固定する。この押さえ具によって、太陽光モジュールがラック部材に固定される。
【先行技術文献】
【特許文献】
【０００３】
【特許文献１】特開２０１１−１９６０２９号公報
【発明の概要】
【発明が解決しようとする課題】
【０００４】
従来、押さえ具は、ラック部材の底部に設けたネジ孔の位置でラック部材に取付けられる。（例えば、特許文献１参照）。現在、種々のサイズの太陽光モジュールが流通しているため、施工現場、又は、工場において、太陽光モジュールのサイズに合わせてラック部材に孔あけ加工を施す必要がある。この場合、孔あけ位置を誤るとラック部材全体が使用できなくなる虞がある。また、工場で一括して孔あけ加工をする場合には、種々の太陽光モジュールのサイズに合わせて孔あけ加工がされたラック部材を在庫として保管する必要がある。
【０００５】
そこで、太陽光モジュールの取り付けが容易で経済性に優れた太陽光モジュール固定装置の開発が望まれている。
【課題を解決するための手段】
【０００６】
一実施形態に係る太陽光モジュール固定装置は、連続して配置される複数の太陽光モジュールを所定の位置に固定する太陽光モジュール固定装置であって、前記太陽光モジュールの裏面と接し前記太陽光モジュールの並び方向に沿って延びる一対の支持板部を備え、前記一対の支持板部の間に開口部が形成された棒状のラック部材と、前記開口部に配置され、前記太陽光モジュールの表面に係合する押圧部を備え、前記太陽光モジュールを前記押圧部と前記支持板部との間で挟み込む押さえ具と、前記支持板部の裏面側に配置され、前記支持板部の裏面に圧接する圧接部を備え、前記押さえ具を前記ラック部材に固定するための固定具と、前記押さえ具と前記固定具を締結し、前記押圧部と前記圧接部との間で前記支持板部と前記太陽光モジュールを締め付けるためのネジと、を備え、前記固定具は、前記固定具の一部に一体に構成され、前記押さえ具と前記支持板部との間に挟み込まれる２つの前記太陽光モジュールの一方側であって、且つ、前記押さえ具の前記押圧部と前記太陽光モジュールの厚み方向に重なる位置に、前記押圧部へ向かって設けられた、前記太陽光モジュールを裏面側から接地するアース部を備える。
【発明の効果】
【０００７】
本発明の実施形態によれば、太陽光モジュールの取り付けが容易で経済性に優れた太陽光モジュール固定装置を提供することができる。
【図面の簡単な説明】
【０００８】
【図１】図１は、太陽光モジュールを屋根に固定するための第１の実施形態に係る太陽光モジュール固定装置を示した分解斜視図である。
【図２】図２は、図１の太陽光モジュール固定装置をＦ２−Ｆ２で切断した断面図である。
【図３】図３は、図１の太陽光モジュール固定装置をＦ３−Ｆ３で切断した断面図である。
【図４】図４は、図１に示す太陽光モジュール固定装置の固定ユニット２を示す分解斜視図である。
【図５】図５は、図１の太陽光モジュール固定装置の使用例を示す断面図である。
【図６】図６は、図１の太陽光モジュール固定装置の別の使用例を示す断面図である。
【図７】図７は、太陽光モジュールを屋根に固定するための第２の実施形態に係る太陽光モジュール固定装置の押さえ具を第１の姿勢で用いた様子を示す断面図である。
【図８】図８は、図７に示す太陽光モジュール固定装置の押さえ具を第２の姿勢で用いた様子を示す断面図である。
【図９】図９は、太陽光モジュールを屋根に固定するための第３の実施形態に係る太陽光モジュール固定装置を示す断面図である。
【図１０】図１０は、太陽光モジュールを屋根に固定するための第４の実施形態に係る太陽光モジュール固定装置を示した断面図である。
【図１１】図１１は、図１０の太陽光モジュール固定装置をＦ１０−Ｆ１０で切断した断面図である。
【図１２】図１２は、図１０の太陽光モジュール固定装置の使用方法を説明するための説明図である。
【図１３】図１３は、図１１のラック部材に取付けられるアース部材を示した斜視図である。
【図１４】図１４は、図１１のラック部材に取付けられるアース部材の別の例を示した斜視図である。
【図１５】図１５は、太陽光モジュールを屋根に固定するための第５の実施形態に係る太陽光モジュール固定装置を示した斜視図である。
【図１６】図１６は、図１５の太陽光モジュール固定装置をＦ１６−Ｆ１６で切断した断面図である。
【発明を実施するための形態】
【０００９】
（第１の実施形態）
以下、本発明の第１の実施形態に係る太陽光モジュール固定装置１（以下、固定装置１という。）について説明する。なお、以下の説明では、ラック部材２００に最初に固定する太陽光モジュールを第１太陽光モジュール１００Ａと称し、次にラック部材２００に配置される太陽光モジュールを第２太陽光モジュール１００Ｂと称する。あるいは、これら２枚の第１太陽光モジュール１００Ａ、第２太陽光モジュール１００Ｂを総称して太陽光モジュール１００とする場合もある。
【００１０】
図１は、太陽光モジュール１００を建物の屋根（図示せず）に固定するための第１の実施形態に係る固定装置１を示した分解斜視図である。図２は、第１太陽光モジュール１００Ａ及び第２太陽光モジュール１００Ｂを取り付けた状態の固定装置１を図１のＦ２−Ｆ２で切断した断面図である。図３は、第１太陽光モジュール１００Ａ及び第２太陽光モジュール１００Ｂを取り付けた状態の固定装置１を図１のＦ３−Ｆ３で切断した断面図である。図４は、固定装置１の構成要素である固定ユニット２の分解斜視図である。
【００１１】
太陽光モジュール１００は、矩形枠状のフレーム１３０と、このフレーム１３０に支持される太陽電池セル１５０とを備えている。図１及び図２に示すように、太陽光モジュール１００は、平板状の外観を有している。フレーム１３０は、太陽電池セル１５０の周縁部と表裏面の一部を覆う断面略Ｕ字形に形成され、フレーム１３０の内側で太陽電池セル１５０の裏面側には空間Ｓが設けられている。また、フレーム１３０には、メッキ加工が施されている。ここでは、複数の太陽光モジュール１００を傾斜した屋根（図示せず）に沿って設置する場合を例として説明する。
【００１２】
固定装置１は、ラック部材２００と、固定ユニット２と、固定金具４００と、化粧板３００とを有している。
【００１３】
ラック部材２００は、図１、図２及び図３に示すように、太陽光モジュール１００が配置される屋根の棟から軒に沿わせて固定される金属性の棒状部材である。ラック部材２００は、太陽光モジュール１００のフレーム１３０の裏面１２０と接し、太陽光モジュール１００の並び方向に沿って延びる一対の支持板部２１０を有している。ラック部材２００は、一対の支持板部２１０の間に開口部２３０を備えている。ラック部材２００は、支持板部２１０を開口部２３０と反対側でつなげた形状の中空棒状である。具体的には、ラック部材２００は、帯状の一対の支持板部２１０と、支持板部２１０と離間して略平行に設けられる底部２７０を備える。また、ラック部材２００は、底部２７０の互いに対向する２辺から略垂直に延び一対の支持板部２１０とそれぞれ繋がる第１側壁２９０及び第２側壁２９１を有している。ラック部材２００の材料としては、例えば、アルミニウム、ステンレス、鉄等の金属材料又は樹脂材料を用いることができる。
【００１４】
固定ユニット２は、図１及び図２に示すように、例えば、第１太陽光モジュール１００Ａ及び第２太陽光モジュール１００Ｂの間に配置され、ラック部材２００に太陽光モジュール１００Ａ及び１００Ｂを固定する。図４に示すように、固定ユニット２は、押さえ具１０と固定具２０とネジ３０とを備えている。
【００１５】
押さえ具１０は、支持部１３と延出部１１と押圧部１５とを一体に有する。支持部１３は、ネジ孔１７を備え、押さえ具１０を固定具２０のベース部２６にネジ３０により着脱自在に取り付ける板状の部分である。延出部１１は、支持部１３の一端から略垂直方向に折り曲げられた板状の部分である。押圧部１５は、延出部１１の支持部１３と反対側の先端に設けられ支持部１３と略平行に延出し、太陽光モジュール１００のフレーム１３０の表面１１０に係合する板状の部分である。なお、本実施形態において、押さえ具１０は、例えば、押し出し成形により一体に形成されている。
【００１６】
固定具２０は、例えば、図３及び図４に示すように、矩形の一枚の金属板を加工して形成される。固定具２０は、ベース部２６と、一対の圧接部２４と、一対の第１壁部２５と、一対の第２壁部２７と、を有する。ベース部２６は、押さえ具１０の支持部１３を固定するためのネジ孔２８を備えるとともに、アース部２２を有する。圧接部２４は、ラック部材２００の一対の支持板部２１０の裏面に接触する帯状の部分であり、ベース部２６と平行に設けられる。第１壁部２５は、ベース部２６の互いに対向する２辺から略垂直に延び、圧接部２４に繋がる壁部である。第２壁部２７は、第１壁部２５と反対側で圧接部２４と繋がり、第１壁部２５と平行に対向する壁部である。また、固定具２０は、太陽光モジュール１００との間にネジ３０を収容するため、圧接部２４とベース部２６との間に段差（凹部）を設けている。この凹部の深さは、ネジ３０を締めた状態でネジ３０の頭部が太陽光モジュール１００に接触せず、アース部２２の先端が圧接部２４よりわずかに突出する深さに設計されている。
【００１７】
アース部２２は、ベース部２６の一部を切り起こすことで形成され、押圧部１５に対して太陽光モジュール１００の厚み方向に重なる位置に設けられている。また、アース部２２は、その突出方向の先端に３つの突起２３を備えている。突起２３は、太陽光モジュール１００のフレーム１３０に当接してフレーム１３０に施されているメッキ加工による薄膜層を貫通し、フレーム１３０の金属部分と接触する。これにより、太陽光モジュール１００をアースする。
【００１８】
ネジ３０は、押さえ具１０と固定具２０を締結し、押さえ具１０の押圧部１５と固定具２０の圧接部２４との間でラック部材２００の支持板部２１０と太陽光モジュール１００を挟み込んで締め付けて固定する。なお、押さえ具１０の支持部１３とネジ３０の間には、ワッシャ３１及び３３が設けられ、ネジ３０が緩むことを防止する。
【００１９】
図１及び図２に示すように、固定金具４００は、ラック部材２００の軒側の先端部に設けられ、第１太陽光モジュール１００Ａの軒側の端縁を固定する。また、化粧板３００は、固定金具４００のさらに軒側に配置され、ラック部材２００に対して屋根に沿って略直交する方向に延設される。
【００２０】
次に、第１の実施形態に係る太陽光モジュール固定装置１を用いた、第１太陽光モジュール１００Ａの設置工程について説明する。
【００２１】
まず、図１に示すように、太陽光モジュール１００を載置するためのラック部材２００を屋根に固定する。そして、図２に示すように、ラック部材２００の軒側の先端部に固定金具４００を取り付ける。ここで、固定金具４００を取り付けるときに化粧板３００を固定金具４００の軒側にはめ込み固定する。化粧板３００を固定金具４００の軒側に設けることにより、固定金具４００が直接視認されることを防ぎ美観を保持する。固定金具４００は、ラック部材２００の底部２７０にネジ４２０を用いて固定される。
【００２２】
次に、第１太陽光モジュール１００Ａをラック部材２００上に載置する。本実施形態において、第１太陽光モジュール１００Ａ及び第２太陽光モジュール１００Ｂは、２本の略平行に配置されたラック部材２００の間に架け渡されるように配置される。第１太陽光モジュール１００Ａは、固定金具４００の押圧部４１０とラック部材２００の支持板部２１０との間に軒側のフレーム１３０を挟み込むことで支持される。
【００２３】
第１太陽光モジュール１００Ａの軒側の端縁がラック部材２００に保持された後、第１太陽光モジュール１００Ａの棟側の端縁を固定するため、固定ユニット２をラック部材２００に取り付ける。固定ユニット２は、第１太陽光モジュール１００Ａを間に挟んで、ラック部材２００に沿って固定金具４００と反対側で、ラック部材２００の開口部２３０の所定の位置にセットされる。なお、固定ユニット２は、ラック部材２００へ取り付ける前に、押さえ具１０と固定具２０をネジ３０で仮留めしておくと後の作業を効率的にすることができる。以下、固定ユニット２は、取り付けの際、予め仮留めされているものとして説明する。
【００２４】
固定ユニット２をラック部材２００に取り付ける際には、固定具２０をラック部材２００の開口部２３０内へ挿入する。図３に示すように、固定具２０は、開口部２３０を介してラック部材２００の内部に挿入された後、圧接部２４が支持板部２１０に対して平行に当接する向きに配置される。そして、ラック部材２００の内側へ固定具２０が挿入された仮組み状態の固定ユニット２は、第１太陽光モジュール１００Ａに向けてラック部材２００に沿ってスライドされ、第１太陽光モジュール１００Ａの棟側の端縁にはめ込まれる。この状態で、第１太陽光モジュール１００Ａのフレーム１３０の側面と押さえ具１０の延出部１１が接触し、第１押圧部１２が第１太陽光モジュール１００Ａのフレーム１３０の表面１１０に係合する。
【００２５】
押さえ具１０の位置が決定したらネジ３０を締め付ける。ネジ３０を締めることにより、固定具２０の圧接部２４がラック部材２００の支持板部２１０の方向へ引き上げられ支持板部２１０の裏側に圧接される。同時に、押さえ具１０の第１押圧部１２がフレーム１３０の表面１１０から支持板部２１０へ向かって第１太陽光モジュール１００Ａを押圧する。これにより、第１太陽光モジュール１００Ａの棟側の端縁が、第１押圧部１２及び支持板部２１０に挟み込まれて固定される。
【００２６】
このとき、固定具２０のアース部２２は、第１太陽光モジュール１００Ａのフレーム１３０に向けて押圧され、突起２３がフレーム１３０の薄膜を破ってフレーム１３０の裏面１２０と電気的に導通される。なお、本実施形態において、突起２３は、３つ形成されているが、この中の一つでも導通が得られればよい。上述の工程により、図２に示すように、第１太陽光モジュール１００Ａがラック部材２００に固定される。
【００２７】
続いて、第２太陽光モジュール１００Ｂの設置工程について説明する。
【００２８】
まず、第１太陽光モジュール１００Ａの棟側を固定している固定ユニット２の第２押圧部１４とラック部材２００の支持板部２１０の間に第２太陽光モジュール１００Ｂの軒側の端縁を挟み込むように配置する。
【００２９】
第２太陽光モジュール１００Ｂがラック部材２００の上に配置されると、第１太陽光モジュール１００Ａの棟側を固定している固定ユニット２との間に第２太陽光モジュール１００Ｂを挟んで対向する位置に次の固定ユニット２をセットする。なお、第２太陽光モジュール１００Ｂの棟側の端縁を固定する固定ユニット２の取り付け方法は、第１太陽光モジュール１００Ａの棟側の端縁を固定した固定ユニット２の取り付け方法と同様のため、その詳細な説明は省略する。また、３枚目以降の太陽光モジュール１００においても、以降同様の方法を繰り返すことで屋根に取り付けられる。
【００３０】
次に、第１の実施形態に係る固定ユニット２の一使用例について図５及び図６を用いて説明する。太陽光モジュール１００には、種々のサイズがあり、また、それぞれの厚みも異なっている。そこで、例えば、太陽光モジュール１００の厚みがＬ１（図５参照）の場合にも、Ｌ２（図６参照）の場合にも対応できる工夫をしている。具体的には、支持部１３とベース部２６との間にスペーサ４０を配置する。
【００３１】
スペーサ４０は、ネジ３０を避けて押さえ具１０の支持部１３と固定具２０のベース部２６との間に挟み込むことが可能な板材である。例えば、スペーサ４０としては、ネジ３０の位置にＵ字の切欠きを設けた板材、又は、ネジ３０が貫通する位置にネジ孔を設けた板材を用いることができる。スペーサ４０の材料としては、例えば、押さえ具１０又は固定具２０と同じ材料を用いることができる。
【００３２】
そして、固定ユニット２を太陽光モジュール１００の棟側にセットしたときに、太陽光モジュール１００の厚みが厚い場合には、例えば、図６に示すように厚さＬ２を確保するために必要な枚数のスペーサ４０を支持部１３とベース部２６との間に挟み込む。これにより、押さえ具１０の押圧部１５から支持板部２１０までの距離を太陽光モジュール１００の厚みに合わせて調整できる。
【００３３】
（第１の実施形態の効果）
このように構成された固定装置１によれば、ラック部材２００の底部２７０に固定ユニット２を固定するための孔を設ける必要がない。また、固定ユニット２は、ラック部材の長手方向の任意の位置に固定することが可能である。このため、固定ユニット２は、太陽光モジュール１００のサイズが異なる場合であっても、ラック部材２００の開口部２３０に沿って任意の位置にスライドさせることができる。このため、固定ユニット２は、あらゆるサイズの太陽光モジュール１００をラック部材２００に固定することが可能である。また、固定ユニット２は、底部２７０側ではなく、支持板部２１０側に取り付けられるため、ラック部材２００の底部２７０近くには所定の空間が設けられる。このため、ラック部材２００の内部にゴミ等が溜った場合にも、雨によりゴミ等は洗いながされる。よって、ネジ３０や固定具２０の腐食が防止される。
【００３４】
また、固定ユニット２の固定具２０には、アース部２２が一体に設けられているため、ラック部材２００に沿って別途アース部材を取り付ける必要が無い。また、アース部２２は、鋭利に尖った少なくとも１つの突起２３を有している。突起２３は、押さえ具１０の押圧部１５と太陽光モジュール１００の厚み方向に重なる位置に設けられている。突起２３は、ネジ３０が締められることによりフレーム１３０の裏面１２０のメッキを貫通可能である。このため、予めアース部２２を接地する位置のフレーム１３０の裏面１２０のメッキを剥離してフレーム本体の金属面を露出させる必要が無く作業性に優れている。
【００３５】
また、押さえ具１０の第２押圧部１４の接触面１８から支持板部２１０の表面までの距離が、第１押圧部１２の接触面１６から支持板部２１０の表面までの距離よりも若干大きく設計されている。このため、第１太陽光モジュール１００Ａを固定後に第２太陽光モジュール１００Ｂを第２押圧部１４の接触面１８と支持板部２１０の間にはめ込むときに、第２太陽光モジュール１００Ｂを斜め上から嵌め込むことが可能であるため、作業性が良い。
【００３６】
また、押さえ具１０の支持部１３は、後から配置される第２太陽光モジュール１００Ｂ側に延出されている。つまり、支持部１３は、第２押圧部１４側に設けられている。このため、第１太陽光モジュール１００Ａを固定するときに、支持部１３が第１太陽光モジュール１００Ａにより覆われることがなく第１太陽光モジュール１００Ａの取り付け作業を可能にする。また、常に作業者は、固定作業を実施している太陽光モジュール１００よりも棟側でネジ３０の締結作業を行うことができるため、ネジ３０の締め付け作業中に太陽光モジュール１００の太陽電池セル１５０に乗る必要がない。
【００３７】
また、固定具２０は、太陽光モジュール１００との間にネジ３０を収容するため、圧接部２４とベース部２６との間に段差（凹部）を有する。このため、ネジ３０が開口部２３０から太陽光モジュール１００側に突出し、太陽光モジュール１００を傷付けることがない。
【００３８】
また、このように構成された固定装置１の一使用例（図５及び図６）によれば、太陽光モジュール１００の厚みが異なる場合であっても押さえ具１０と固定具２０との間にスペーサ４０を挟むことにより自在に押さえ具１０の押圧部１５から支持板部２１０までの距離を太陽光モジュール１００の厚みに合わせて調整できる。このため、太陽光モジュールの厚みに応じてサイズの異なる数種の押さえ具１０を用意しておく必要がないため、在庫管理が容易で経済的である。
【００３９】
（第２の実施形態）
続いて、第２の実施形態の太陽光モジュール固定装置１Ａ（以下、固定装置１Ａという。）について図７及び図８を用いて説明する。なお、本実施形態において、上述の第１の実施形態の固定装置１と同等の構成については、同一の符号を付し、その詳細な説明は省略する。
【００４０】
第１の実施形態の固定装置１と図７及び図８に示した固定装置１Ａは、固定ユニット２Ａの押さえ具１０Ａの構造が異なる。簡単に説明すると、固定装置１Ａの押さえ具１０Ａは、固定具２０との取り付け方を変えることにより２種類の厚みの太陽光モジュール１００に対応できる構造を有している。
【００４１】
具体的には、押さえ具１０Ａは、延出部１１Ａ（第１部分）と、支持部１３Ａ（第２部分）と、押圧部１５Ａと、別の押圧部１５Ｂと、を一体に有する。延出部１１Ａは、押圧部１５Ａを一端に備える。支持部１３Ａは、延出部１１Ａの押圧部１５Ａから離間した他端に設けた折り曲げ部６１を介して延出部１１Ａと直交する方向に延びる。押圧部１５Ｂは、支持部１３Ａの折り曲げ部６１から離間した延出端に設けられる。
【００４２】
第１のネジ孔１７ａは、支持部１３Ａに設けられる。第１のネジ孔１７ａは、延出部１１Ａに設けた押圧部１５Ａを太陽光モジュール１００のフレーム１３０の表面１１０に係合させる第１の姿勢に押さえ具１０Ａを配置した状態でネジ３０を挿通する。
【００４３】
第２のネジ孔１７ｂは、延出部１１Ａに設けられる。第２のネジ孔１７ｂは、支持部１３Ａに設けた押圧部１５Ｂを太陽光モジュール１００のフレーム１３０の表面１１０に係合させる第２の姿勢に押さえ具１０Ａを配置した状態でネジ３０を挿通する。
【００４４】
また、押圧部１５Ａが太陽光モジュール１００Ａのフレーム１３０の表面１１０を押圧する接触面１６と折り曲げ部６１との間の延出部１１Ａの長さは、押圧部１５Ｂが太陽光モジュール１００Ａのフレーム１３０の表面１１０を押圧する接触面１６と折り曲げ部６１との間の支持部１３Ａの長さと異なる。
【００４５】
本実施形態においては、図７及び図８に示すように、延出部１１Ａの折り曲げ部６１から押圧部１５Ａの接触面１６までの距離は、支持部１３Ａの折り曲げ部６１から押圧部１５Ｂの接触面１６までの距離よりも短い。例えば、図７に示すように、厚みが小さい太陽光モジュール１００を固定する場合には、押さえ具１０Ａを第１の姿勢にして太陽光モジュール１００を固定する。また、厚みが大きい太陽光モジュール１００を固定する場合には、図８に示すように、押さえ具１０Ａを第２の姿勢にして太陽光モジュール１００を固定する。
【００４６】
次に、本実施形態の固定装置１Ａを用いた太陽光モジュール１００の固定方法について説明する。
【００４７】
本実施形態の押さえ具１０Ａは、固定具２０と固定する部分を変えることにより、２種類の太陽光モジュール１００の厚みに対応することができる。図７は、押さえ具１０Ａを第１の姿勢に配置した様子を示し、図８は、押さえ具１０Ａを第２の姿勢に配置した様子を示す。
【００４８】
第１太陽光モジュール１００Ａの厚みがＬ１の場合には押さえ具１０Ａを第１の姿勢に配置する。図７に示すように、押さえ具１０Ａは、第１太陽光モジュール１００Ａを支持板部２１０との間で押圧部１５Ａを用いて固定する。この場合、押さえ具１０Ａは、支持部１３Ａに設けられたネジ孔１７ａに挿通されたネジ３０を用いて固定具２０と固定される。なお、固定された支持部１３Ａの先端部に設けられた押圧部１５Ｂの第２押圧部１４は、フレーム１３０のラック部材２００と接触する面よりもさらに棟側に位置する。このため、押圧部１５Ｂの第２押圧部１４が空間Ｓ側へ突出した場合においてもフレーム１３０と当接することがない。
【００４９】
一方、第１太陽光モジュール１００Ａの厚みがＬ２の場合には押さえ具１０Ａを第２の姿勢に配置する。図８に示すように、押さえ具１０Ａは、第１太陽光モジュール１００Ａを支持板部２１０との間で押圧部１５Ｂを用いて固定する。この場合、押さえ具１０Ａは、延出部１１Ａに設けられたネジ孔１７ｂに挿通されたネジ３０を用いて固定具２０と固定される。なお、固定された延出部１１Ａの先端部に設けられた押圧部１５Ａの第２押圧部１４は、フレーム１３０のラック部材２００と接触する面よりもさらに棟側に位置する。このため、押圧部１５Ａの第２押圧部１４が空間Ｓ側へ突出した場合においてもフレーム１３０と当接することがない。
【００５０】
（第２の実施形態の効果）
このように構成された固定装置１Ａによれば、第１の実施形態の固定装置１の効果に加えて、さらに、固定ユニット２Ａの押さえ具１０Ａの取り付け方向を変えることにより、２種類の厚さの太陽光モジュール１００を固定することができる。このため、第１の実施形態の固定ユニット２のようにスペーサ４０を挟んで厚みを調整する必要がなく作業が容易である。また、２種類の太陽光モジュールの厚みに対応可能であるため、押さえ具の在庫管理が容易で経済的である。
【００５１】
（第３の実施形態）
続いて、第３の実施形態の太陽光モジュール固定装置１Ｂ（以下、固定装置１Ｂという。）について図９を用いて説明する。なお、本実施形態において、上述の第１の実施形態の固定装置１と同等の構成については、同一の符号を付し、その詳細な説明は省略する。
【００５２】
第１の実施形態の固定装置１と図９に示した固定装置１Ｂとの構成上の相違点は、ラック部材２００Ａの断面形状と固定具２０Ａの断面形状である。固定装置１Ａは、ラック部材２００Ａと固定ユニット２Ａとを含む。
【００５３】
ラック部材２００Ａは、第１の実施形態のラック部材２００と同じように、太陽光モジュール１００が配置される屋根の棟から軒に沿わせて固定される金属性の中空の棒状部材である。ラック部材２００Ａは、太陽光モジュール１００のフレーム１３０の裏面１２０と接し、太陽光モジュール１００の並び方向に沿って延びる一対の支持板部２１０を有している。ラック部材２００Ａは、一対の支持板部２１０の間に開口部２３０を備えている。ラック部材２００Ａは、支持板部２１０を開口部２３０と反対側でつなげた形状の中空棒状である。
【００５４】
具体的には、ラック部材２００Ａは、帯状の一対の支持板部２１０と、支持板部２１０と離間して略平行に設けられる底部２７０を備える。また、ラック部材２００Ａは、底部２７０の互いに対向する２辺から略垂直に延び一対の支持板部２１０とそれぞれ繋がる第１側壁２９０及び第２側壁２９１を有している。また、第１側壁２９０及び第２側壁２９１の内側には、２対の帯状の第１鍔部２４０及び第２鍔部２５０が一体に設けられている。
【００５５】
第１鍔部２４０は、支持板部２１０と第２鍔部２５０の間に設けられ、支持板部２１０と所定の間隔を空けて平行に配置される。第２鍔部２５０は、第１鍔部２４０と底部２７０との間に設けられ、支持板部２１０と平行に配置されるとともに、第１鍔部２４０と所定の間隔を空けて配置される。第２鍔部２５０は、第１鍔部２４０よりも突出長さ長い。
【００５６】
ラック部材２００Ａの材料としては、例えば、アルミニウム、ステンレス、鉄等の金属材料又は樹脂材料を用いることができる。なお、本実施形態において、ラック部材２００Ａは押し出し成形により形成される。また、本実施形態においては、第２鍔部２５０の突出長を第１鍔部２４０よりも長く配置しているが、第１鍔部２４０と第２鍔部２５０の突出長は、これに限定されない。つまり、第２鍔部２５０は、以下に説明する固定具２０Ａの底部２７０への落下を防止できる程度に突出していればよい。
【００５７】
固定ユニット２Ｂは、第１の実施形態の固定ユニット２と同様に、例えば、第１太陽光モジュール１００Ａ及び第２太陽光モジュール１００Ｂの間に配置され、ラック部材２００Ａに第１太陽光モジュール１００Ａ及び第２太陽光モジュール１００Ｂを固定する。図９に示すように、固定ユニット２Ｂは、押さえ具１０と固定具２０Ａとネジ３０とを備えている。
【００５８】
押さえ具１０及びネジ３０は、第１の実施形態と同じものを用いているため、その詳細な説明は省略する。
【００５９】
固定具２０Ａは、例えば、矩形の一枚の金属板を加工して形成される。固定具２０Ａは、第1鍔部２４０と第２鍔部２５０との間に挿入される。固定具２０Ａは、ベース部２６Ａと一対の圧接部２４Ａとを有する。ベース部２６Ａは、押さえ具１０の支持部１３を固定するためのネジ孔２８を備える。圧接部２４は、ラック部材２００Ａの一対の第１鍔部２４０の裏面と接触する。圧接部２４Ａは、固定具２０Ａの対向する２辺の端縁に沿って第１鍔部２４０の延出幅に合わせて表面を所定量削った帯状の段部である。
【００６０】
固定具２０Ａは、断面凸形状の凸部にベース部２６Ａが設けられているのに対して、固定具２０は、断面凹形状の凹部にベース部２６が設けられている点が異なっている。また、本実施形態における固定具２０Ａのベース部２６Ａは、圧接部２４Ａよりも第１鍔部２４０の厚みだけ厚く設計され、固定具２０Ａの固定時にベース部２６Ａの表面と第１鍔部２４０の支持板部２１０側の表面が略面一になる。
【００６１】
次に、第３の実施形態に係る固定装置１Ｂを用いた、第１太陽光モジュール１００Ａ及び１００Ｂの設置工程について説明する。
【００６２】
第１太陽光モジュール１００Ａのフレーム１３０を固定金具４００の押圧部４１０と支持板部２１０との間に挟み込む。これにより、第１太陽光モジュール１００Ａがラック部材２００Ａに配置される。その後、第１太陽光モジュール１００Ａを固定するため、固定ユニット２Ｂを設置する。
【００６３】
固定ユニット２Ｂは、例えば、ラック部材２００Ａの棟側の端部から挿入される。具体的には、固定ユニット２Ｂの固定具２０Ａは、第１鍔部２４０と第２鍔部２５０との間の空間に挿入される。なお、このとき、押さえ具１０と固定具２０Ａは、仮留めされているものとする。
【００６４】
次に、第１太陽光モジュール１００Ａのフレーム１３０に押さえ具１０の延出部１１が当接する位置まで、固定具２０Ａを移動させる。そして、押圧部１５の第１押圧部１２を第１太陽光モジュール１００Ａの表面１１０に係合させてネジ３０を締める。これにより第１太陽光モジュール１００Ａがラック部材２００Ａに固定される。
【００６５】
第１の実施形態の固定ユニット２の取り付け機構と固定ユニット２Ｂの相違点は、固定具２０Ａを支持板部２１０の裏側当接させるのではなく、第１鍔部２４０の裏面側に固定具２０Ａを当接させる点である。このため、固定具２０Ａは、支持板部２１０から、さらに底部２７０側に固定されることになる。よって、固定具２０Ａにネジ３０を収容する凹部を設けなくても、支持板部２１０と第１鍔部２４０との間の空間をネジ３０の収容スペースとして利用することができる。また、固定具２０Ａのラック部材２００Ａの底部２７０への落下を防ぐ第２鍔部２５０が設けられている点も異なっている。なお、本実施形態では、ラック部材２００Ａの棟側の端部から第１鍔部２４０と第２鍔部２５０の間に固定具２０Ａを挿入することを想定しているが、支持板部２１０に沿って設けられている第１鍔部２４０の途中にいくつかの切欠き部を設ければ、この切欠き部から固定ユニット２Ｂを挿入することも可能である。
【００６６】
（第３の実施形態の効果）
このように構成された第３の実施形態に係る固定装置１Ｂによれば、ラック部材２００Ａの底部２７０に固定ユニット２Ｂを固定するための孔を設ける必要がない。また、固定ユニット２Ｂは、ラック部材２００Ａの長手方向に沿った任意の位置に固定具２０Ａを取り付けることが可能である。このため、固定ユニット２Ｂは、あらゆるサイズの太陽光モジュール１００をラック部材２００Ａに固定することが可能である。
【００６７】
また、固定ユニット２Ｂは、底部２７０側ではなく、第１鍔部２４０側に取り付けられるため、ラック部材２００Ａの底部２７０近くには所定の空間が設けられる。このため、ラック部材２００Ａの内部にゴミ等が溜った場合にも、雨によりゴミ等は洗いながされる。よって、ネジ３０や固定具２０の腐食が防止される。
【００６８】
また、ラック部材２００Ａは、第２鍔部２５０を備えている。このため、仮留めしたネジ３０が外れても、底部２７０に固定具２０Ａが落下することがない。つまり、施工時において、押さえ具１０と固定具２０Ａの仮留めが外れた場合においても、細い開口部２３０に手を入れて落下した固定具２０Ａを拾う必要が無く作業性に優れている。
【００６９】
（第４の実施形態）
次に、本発明の第４の実施形態に係る太陽光モジュール固定装置１Ｃ（以下、固定装置１Ｃという。）について説明する。図１０は、固定装置１Ｃをラック部材２００Ｂに沿って切断した断面図である。図１１は、固定装置１Ｃを図１０のＦ１０−Ｆ１０で切断した断面図である。図１２は、固定装置１Ｃの押さえ具１０Ｂの使用方法を示すための説明図である。図１３は、図１１のラック部材２００Ｂに取付けられるアース部材５０の斜視図である。図１４は、ラック部材２００Ｂに取付けられる図１０の変形例であるアース部材５０Ａの斜視図である。なお、第４の実施形態において、上述の第１の実施形態の固定装置１と同じ部材については、同一の符号を付している。
【００７０】
固定装置１Ｃは、ラック部材２００Ｂと、固定ユニット２Ｃと、アース部材５０と、固定金具４００と、化粧板３００とを有している。
【００７１】
ラック部材２００Ｂは、太陽光モジュール１００が配置される屋根の棟から軒に沿わせて固定される金属性の中空の棒状部材である。ラック部材２００Ｂは、太陽光モジュール１００のフレーム１３０の裏面１２０と接し太陽光モジュール１００の並び方向に沿って延びる一対の支持板部２１０を有している。ラック部材２００Ｂは、一対の支持板部２１０の間に開口部２３０を備えている。ラック部材２００Ｂは、支持板部２１０を開口部２３０と反対側でつなげた形状の中空棒状である。ラック部材２００Ｂの材料としては、例えば、アルミニウム、ステンレス、鉄等の金属材料又は樹脂材料を用いることができる。
【００７２】
ラック部材２００Ｂは、図１０及び図１１に示すように、支持板部２１０と、底部２７０と、第１側壁２９０と、第２側壁２９１と、開口部２３０と、を備えた断面が略Ｕ字形状の棒状部材である。支持板部２１０は、フレーム１３０の裏面１２０と接し太陽光モジュール１００の並び方向に沿って延びる一対の帯状の鍔部である。底部２７０は、支持板部２１０と離間して略平行に設けられる板状の部分である。第１側壁２９０及び第２側壁２９１は、底部２７０の互いに対向する２辺から略垂直に延び一対の支持板部２１０とそれぞれ繋がる壁状の部分である。第１側壁２９０は、その長手方向に所定の間隔を設けて第１側壁２９０の長手方向に延びる略長円形状の複数の連結孔２８０を有している。また、第２側壁２９１は、第１側壁２９０の連結孔２８０と対向する位置に同様の複数の連結孔２８０を有している。
【００７３】
固定ユニット２Ｃは、例えば、図１０に示すように、第１太陽光モジュール１００Ａと第２太陽光モジュール１００Ｂの間に配置され、ラック部材２００Ｂに第１太陽光モジュール１００Ａの棟側の端縁と太陽光モジュール１００Ｂの軒側の端縁とを固定する。図１０及び図１１に示すように、固定ユニット２Ｃは、押さえ具１０Ｂとネジ３０Ａを備えている。
【００７４】
押さえ具１０Ｂは、支持部１３Ｂと押圧部１５と延出部１１Ｂとを一体に備える。押圧部１５は、第１太陽光モジュール１００Ａの棟側のフレーム１３０と太陽光モジュール１００Ｂの軒側のフレーム１３０を表面１１０側から押さえる部分である。押圧部１５は、ラック部材２００Ｂの支持板部２１０と略平行に配置される。
【００７５】
延出部１１Ｂは、押圧部１５の太陽光モジュール１００に対向する面から略垂直に延び、且つ、ラック部材２００Ｂの長手方向と直交する面に沿って配置される板状の部分である。言い換えれば、延出部１１Ｂは、第１太陽光モジュール１００Ａの棟側のフレーム１３０及び、太陽光モジュール１００Ｂの軒側のフレーム１３０に挟まれ、太陽光モジュール１００を位置決めする部分である。支持部１３Ｂは、延出部１１Ｂの押圧部１５と反対側の端部に設けられる。
【００７６】
支持部１３Ｂは、図１０に示すように、互いに平行に延びた複数（本実施形態においては４つ）の貫通孔１９ａ、１９ｂ、１９ｃ、１９ｄを有する。複数の貫通孔１９ａ、１９ｂ、１９ｃ、１９ｄは、ラック部材２００Ｂの幅方向、すなわち延出部１１Ｂの面に沿って延設されている。以下、貫通孔１９ａ、１９ｂ、１９ｃ、１９ｄは、総称して貫通孔１９とする場合もある。
【００７７】
本実施形態においては、貫通孔１９ａは、延出部１１Ｂの端部近くに設けられる。貫通孔１９ｂは、図１０に示すように、貫通孔１９ａの図示左斜め下側に隣接して配置される。貫通孔１９ｃは、貫通孔１９ａの図示下側に設けられる。貫通孔１９ｄは、貫通孔１９ｂの図示下側に設けられる。
【００７８】
言い換えれば、貫通孔１９ａ及び１９ｃは、図１０に示すように、延出部１１Ｂを底部２７０に向かって延長した仮想面に対して、太陽光モジュール１００Ｂ側に配置される。貫通孔１９ｄ及び１９ｄは、上記仮想面に対して第１太陽光モジュール１００Ａ側に配置される。
【００７９】
アース部材５０は、例えば図１１示すように、ラック部材２００Ｂの第１側壁２９０の外側にネジ３０Ａにより固定される。アース部材５０は、図１３に示すように、略矩形の金属板を折り曲げて段部５３を設けたものである。アース部材５０は、段部５３を挟んで壁部５４及び固定部５５を有する。壁部５４は、段部５３と反対側の端縁の先端に３つの突起５１を備える。また、壁部５４には孔５７が設けられている。固定部５５は、ラック部材２００Ｂの第１側壁２９０側の連結孔２８０からラック部材２００Ｂの内側に挿入される部分である。なお、アース部材５０は、第２側壁２９１側に取り付けることもできる。
【００８０】
ネジ３０Ａは、ラック部材２００Ｂの第２側壁２９１側の連結孔２８０から、支持部１３Ｂの貫通孔１９を介して、対向する位置にある第１側壁２９０側の連結孔２８０へ挿通される連結部材である。なお、支持部１３Ｂの各貫通孔１９の径は、ネジ３０Ａの断面径よりも若干大きい。押さえ具１０Ｂは、開口部２３０からラック部材２００Ｂの内側へ挿入され、ラック部材２００Ｂの内側に取り付けられたときに、ネジ３０Ａを軸として回動自在である。
【００８１】
次に、上述した第４の実施形態に係る固定装置１Ｃを用いた第１太陽光モジュール１００Ａ及び第２太陽光モジュール１００Ｂの設置工程について説明する。
【００８２】
まず、太陽光モジュール１００を載置するためのラック部材２００Ｂを屋根に固定する。そして、図１０に示すように、ラック部材２００Ｂの軒側の先端部に固定金具４００を取り付ける。ここで、固定金具４００を取り付けるときに化粧板３００を固定金具４００の軒側にはめ込み固定する。化粧板３００を固定金具４００の軒側に設けることにより、固定金具４００が直接視認されることを防ぎ美観を保持する。固定金具４００は、ラック部材２００Ｂの底部２７０にネジ４２０を用いて固定される。
【００８３】
次に、第１太陽光モジュール１００Ａをラック部材２００Ｂ上に載置する。本実施形態において、第１太陽光モジュール１００Ａ及び第２太陽光モジュール１００Ｂは、２本の略平行に配置されたラック部材２００Ｂの間に架け渡されるように配置される。第１太陽光モジュール１００Ａは、固定金具４００の押圧部４１０と支持板部２１０との間に軒側のフレーム１３０を挟むことで支持される。
【００８４】
第１太陽光モジュール１００Ａの軒側の端縁がラック部材２００Ｂによって保持された後、第１太陽光モジュール１００Ａの棟側の端縁を固定するため、固定ユニット２Ｃをラック部材２００Ｂに取り付ける。固定ユニット２Ｃは、第１太陽光モジュール１００Ａを間に挟んで、ラック部材２００Ｂに沿って固定金具４００と反対側で、ラック部材２００Ｂの開口部２３０の所定の位置にセットされる。
【００８５】
固定ユニット２Ｃをラック部材２００Ｂに取り付ける際は、押さえ具１０Ｂの第１押圧部１２を第１太陽光モジュール１００Ａの棟側の端縁に掛ける。このときに、太陽光モジュール１００の厚みに適合した支持部１３Ｂの貫通孔１９の一つがラック部材２００Ｂの連結孔２８０に対向する。図１０に示す例では、貫通孔１９ｃが連結孔２８０に対向して配置されている。
【００８６】
そして、図１１に示すように、アース部材５０のネジ孔５７と、ラック部材２００Ｂの第１側壁２９０の連結孔２８０と第２側壁２９１の連結孔２８０と支持部１３Ｂの貫通孔１９ｃが一直線に並んだ状態で、ネジ３０Ａを通してナットで固定する。この状態で、アース部材５０がラック部材２００Ｂの外側に固定され、押さえ具１０Ｂが回動自在にラック部材２００Ｂの内側に取り付けられる。
【００８７】
ネジ３０Ａを用いて、ラック部材２００Ｂに押さえ具１０Ｂを取り付け後、ネジ３０Ａを軸として押さえ具１０Ｂを第１太陽光モジュール１００Ａの方向へ回動させ、第１太陽光モジュール１００Ａの棟側の端縁と延出部１１Ｂを当接させるとともに第１押圧部１２を第１太陽光モジュール１００Ａのフレーム１３０の表面１１０に係合させる。これにより、第１太陽光モジュール１００Ａは、ラック部材２００Ｂに固定される。
【００８８】
続いて、第２太陽光モジュール１００Ｂの設置工程について説明する。
【００８９】
まず、第１太陽光モジュール１００Ａの棟側を固定している固定ユニット２Ｃの第２押圧部１４とラック部材２００Ｂの支持板部２１０の間に第２太陽光モジュール１００Ｂの軒側の端縁を挟み込むように配置する。
【００９０】
第２太陽光モジュール１００Ｂがラック部材２００Ｂの上に配置されると、第１太陽光モジュール１００Ａの棟側を固定している固定ユニット２Ｃとの間に第２太陽光モジュール１００Ｂを挟んで対向する位置、すなわち、第２太陽光モジュール１００Ｂの棟側の端縁に対向する位置に次の固定ユニット２Ｃをセットする。なお、第２太陽光モジュール１００Ｂの棟側の端縁を固定する固定ユニット２Ｃの取り付け方法は、第１太陽光モジュール１００Ａの棟側の端縁を固定した固定ユニット２Ｃの取り付け方法と同様のため、その詳細な説明は省略する。３枚目以降の太陽光モジュール１００においても、以降同様の方法を繰り返すことによりラック部材２００Ｂに取り付けられる。並べられた太陽光モジュール１００の列の最後の固定ユニット２Ｃには、例えば、押さえ具１０Ｂが棟側へ回動することを防止する係止具（図示せず）を設けて固定する。
【００９１】
次に、固定ユニット２Ｃの太陽光モジュール１００の厚みに合わせた使用例を図１２に示す。固定ユニット２Ｃの押さえ具１０Ｂは、ネジ３０Ａを通す貫通孔１９を変えることにより、太陽光モジュール１００の厚みに合わせることができる。すなわち貫通孔１９は、押圧部１５と支持板部２１０の間の距離を調整することができる。例えば、太陽光モジュール１００の厚みがＬ１である場合には、貫通孔１９ａにネジ３０Ａを通す。太陽光モジュール１００の厚みがＬ２である場合には、貫通孔１９ｂにネジ３０Ａを通す。太陽光モジュール１００の厚みがＬ３である場合には、貫通孔１９ｃにネジ３０Ａを通す。太陽光モジュール１００の厚みがＬ４の場合には、貫通孔１９ｄにネジ３０Ａを通す。以上のように、本実施形態によると太陽光モジュール１００の厚みに合わせて、押圧部１５と支持板部２１０の距離を４段階に調整することができる。
【００９２】
なお、貫通孔１９の数や配置はこれに限られることなく、ラック部材２００Ｂの底部２７０から支持板部２１０までの距離を考慮して適宜設計可能である。例えば、貫通孔１９の数を増加することにより、より細かく固定位置を調整することも可能である。また、貫通孔１９の配置は、本実施形態に限らず、例えば、貫通孔１９は直線状に複数並べられていてもよい。
【００９３】
（第４の実施例の効果）
ラック部材２００Ｂの連結孔２８０は、ラック部材２００Ｂの長手方向に沿って細長い略長円形状を有しているため、太陽光モジュール１００のサイズに合わせて連結孔２８０に沿ってネジ３０Ａをスライドさせ、押さえ具１０Ｂの固定位置を調整することが可能である。また、固定装置１Ｃは、底部２７０ではなく、第１側壁２９０及び第２側壁２９１に固定する構造としている。このため、ラック部材２００Ｂの内部にゴミ等が溜った場合にも、雨によりゴミ等は洗いながされる。よって、ネジ３０Ａや押さえ具１０Ｂの腐食が防止される。
【００９４】
また、押さえ具１０Ｂの第２押圧部１４の接触面１８から支持板部２１０の表面までの距離が、第１押圧部１２の接触面１６から支持板部２１０の表面までの距離よりも若干大きく設計されている。このため、第１太陽光モジュール１００Ａを固定した後、第２太陽光モジュール１００Ｂの軒側の端縁を第２押圧部１４の接触面１８と支持板部２１０の間にはめ込むときに、第２太陽光モジュール１００Ｂの軒側の端縁を容易に嵌め込むことが可能である。このため、太陽光モジュール１００の施工時の作業性に優れている。
【００９５】
また、固定ユニット２Ｃは、支持部１３Ｂに４つの貫通孔１９ａ、１９ｂ、１９ｃ及び１９ｄを有している。このため、使用される太陽光モジュール１００の厚みに合わせて、貫通孔１９ａ、１９ｂ、１９ｃ及び１９ｄを選択することにより、４種の厚さの異なる太陽光モジュール１００を固定することができる。このため、第１の実施形態のように、スペーサ４０等の別部品を用いる必要がなく、太陽光モジュール１００の厚みに合わせて施工現場で押さえ具１０Ｂの固定位置の調整が可能である。
【００９６】
また、押さえ具１０Ｂは、太陽光モジュール１００をネジ３０Ａで直接圧接して固定していない。このため、押さえ具１０Ｂを棟側に回動することにより太陽光モジュール１００とラック部材２００Ｂの固定を解除することができる。よって、太陽光モジュール１００の設置及び撤去が容易である。
【００９７】
（第５の実施形態）
次に、本発明の第５の実施形態に係る太陽光モジュール固定装置１Ｄ（以下、固定装置１Ｄという。）について図１５及び図１６を用いて説明する。なお、本実施形態において、上述の第１の実施形態の固定装置１と同等の構成については、同一の符号を付し、その詳細な説明は省略する。
【００９８】
第５の実施形態に係る固定装置１Ｄと第１の実施形態に係る固定装置１との主な相違点は、ラック部材６００の構造である。固定装置１Ｄは、ラック部材６００と、固定ユニット２とを備えている。
【００９９】
ラック部材６００は、図１５及び図１６に示すように、太陽光モジュール１００が配置される屋根の棟から軒に沿わせて固定される金属性の一対の棒材６５０Ａ及び６５０Ｂ及び、複数の土台６７０を有する。棒材６５０Ａ及び６５０Ｂは、太陽光モジュール１００のフレーム１３０の裏面１２０と接し、太陽光モジュール１００の並び方向に沿って延びる一対の支持面６１０と、支持面６１０に対向し、屋根側に配置される一対の圧接面６１１を有している。棒材６５０Ａと６５０Ｂとの間には、隙間６３０が形成されている。棒材６５０Ａ及び６５０Ｂは、矩形の中空棒状を有している。棒材６５０の材料としては、例えば、アルミニウム、ステンレス、鉄等の金属材料又は樹脂材料を用いることができる。なお、棒材６５０は、太陽光モジュール１００を載置可能であれば、中空素材に限られない。
【０１００】
土台６７０は、図１５に示すように、例えば、矩形棒状の部材であって、屋根に沿って棒材６５０と略直交するように、棒材６５０と屋根との間に設けられる。土台６７０の棒材６５０に対向する固定面６７１には、棒材６５０を所定の間隔で固定可能な矩形の切欠きが設けられている。土台６７０の材料としては、例えば、アルミニウム、ステンレス、鉄等の金属材料又は樹脂材料を用いることができる。固定ユニット２は、第１の実施形態に記載したものと同じものを用いた。このため、その構造の詳細な説明は省略する。
【０１０１】
以下、例えば、第１太陽光モジュール１００Ａと第２太陽光モジュール１００Ｂ（図示せず）の間において固定ユニット２を設置する場合について説明する。
【０１０２】
固定ユニット２をラック部材６００に取り付ける際には、固定具２０を棒材６５０Ａ及び６５０Ｂと屋根の間の空間へ配置する。図１６に示すように、固定具２０は、棒材６５０の圧接面６１１と対向する位置に配置される。固定具２０は、棒材６５０の一対の圧接面６１１に対して一対の圧接部２４が平行になる向きに調整される。この状態で、固定ユニット２の押さえ具１０と固定具２０とをネジ３０で仮留めする。仮留めされた固定ユニット２は、第１太陽光モジュール１００Ａの棟側のフレーム１３０に向けて棒材６５０に沿ってスライドされる。固定ユニット２は、第１太陽光モジュール１００Ａの棟側の端縁にはめ込まれる。具体的には、第１太陽光モジュール１００Ａのフレーム１３０の側面と押さえ具１０の延出部１１が接触し、第１押圧部１２が第１太陽光モジュール１００Ａのフレーム１３０の表面１１０に係合する。
【０１０３】
固定ユニット２の押さえ具１０の位置が決定したらネジ３０を締め付ける。ネジ３０を締めることにより、固定具２０の圧接部２４が棒材６５０の圧接面６１１の方向へ引き上げられ圧接面６１１に圧接される。同時に、押さえ具１０の第１押圧部１２がフレーム１３０の表面１１０から支持面６１０へ向かって第１太陽光モジュール１００Ａを押圧する。これにより、第１太陽光モジュール１００Ａの棟側の端縁が、第１押圧部１２及び支持面６１０に挟み込まれて固定される。なお、２枚目以降の太陽光モジュール１００についても同様の方法により固定される。
【０１０４】
（第５の実施形態の効果）
第５の実施形態に係る固定装置１Ｄは、図１６に示すように、第１の実施形態に記載された効果に加えて、土台６７０を用いていることから、土台６７０の厚みを変更することにより、太陽光モジュール１００と屋根との距離を容易に調整することが可能である。また、ラック部材６００は、ラック部材２００と異なり第１側壁２９０や第２側壁２９１のような壁で囲まれていないため、棒材６５０と屋根の間の空間に棒材６５０Ａ及び６５０Ｂの外側から容易にアクセスすることができ、作業性に優れている。
【０１０５】
なお、本発明は第１の実施形態乃至第５の実施形態に限定されるものではない。
【０１０６】
上述した第１乃至第５の実施形態では、固定ユニット２、２Ａ及び２Ｂの押さえ具１０を押し出し成形により形成したが、これに限らずプレス加工等により形成してもよい。また、第１乃至第５の実施形態における太陽光モジュール固定装置１、１Ａ、１Ｂ、１Ｃ及び１Ｄは、金属を用いているが、屋外の設置に耐えられる強度、腐食性等を考慮すれば、樹脂や他の材料を用いることも可能である。
【０１０７】
また、アース部２２の突起２３の数や大きさ等については、固定具の大きさや、太陽光モジュール１００までの距離等により適宜設計可能である。
【０１０８】
また、第３の実施形態において、アース部材５０は、例えば図１４に示すように、ラック部材２００Ａの外周を囲む金属性のＵ字形状のアース部材５０Ａとすることもできる。アース部材５０Ａは、一枚の金属板を曲げて形成される。アース部材５０Ａは、底部５８と、一対の壁部５９を有する。一対の壁部５９は、底部５８の対向する２辺から略垂直に同じ方向に曲げて形成される。一対の壁部５９の先端には、複数の突起５１が設けられている。壁部５９は、孔５７を有する。
【０１０９】
また、第５の実施形態の棒材６５０は２本の棒材６５０Ａ及び６５０Ｂを別々の部材としているが、例えば、矩形の枠状の部材を用いることも可能である。また、土台６７０の矩形の切欠きは、棒材６５０の固定位置のみに設けても良いが、例えば、所定の間隔で櫛状に連続した構成とすることも可能である。
【０１１０】
この他、本発明の要旨を逸脱しない範囲で種々変形実施が可能であるのはもちろんである。
以下、本願の出願当初の特許請求の範囲に記載された発明を付記する。
［１］連続して配置される複数の太陽光モジュールを所定の位置に固定する太陽光モジュール固定装置であって、
前記太陽光モジュールの裏面と接し前記太陽光モジュールの並び方向に沿って延びる一対の支持板部を備え、前記一対の支持板部の間に開口部が形成された棒状のラック部材と、
前記開口部に配置され、前記太陽光モジュールの表面に係合する押圧部を備え、前記太陽光モジュールを前記押圧部と前記支持板部との間で挟み込む押さえ具と、
前記支持板部の裏面側に配置され、前記支持板部の裏面に圧接する圧接部を備え、前記押さえ具を前記ラック部材に固定するための固定具と、
前記押さえ具と前記固定具を締結し、前記押圧部と前記圧接部との間で前記支持板部と前記太陽光モジュールを締め付けるためのネジと、
を備えることを特徴とする太陽光モジュール固定装置。
［２］前記押さえ具は、前記押圧部を一端に備えた第１部分と、
この第１部分の前記押圧部から離間した他端に設けた折り曲げ部を介して前記第１部分と直交する方向に延びた第２部分と、
この第２部分の前記折り曲げ部から離間した延出端に設けた別の押圧部と、
前記第１部分に設けた前記押圧部を前記太陽光モジュールの前記表面に係合させる第１の姿勢に当該押さえ具を配置した状態で前記ネジを挿通するように前記第２部分に設けた第１のネジ孔と、
前記第２部分に設けた前記別の押圧部を前記太陽光モジュールの前記表面に係合させる第２の姿勢に当該押さえ具を配置した状態で前記ネジを挿通するように前記第１部分に設けた第２のネジ孔と、を有し、
前記押圧部が前記太陽光モジュールの前記表面を押圧する押圧面と前記折り曲げ部との間の前記第１部分の長さは、前記別の押圧部が前記太陽光モジュールの前記表面を押圧する押圧面と前記折り曲げ部との間の前記第２部分の長さと異なることを特徴とする［１］に記載の太陽光モジュール固定装置。
［３］前記ラック部材は、前記一対の支持板部を前記開口部と反対側でつなげた中空棒状に形成されていることを特徴とする請求項［１］に記載の太陽光モジュール固定装置。
［４］前記ラック部材は、前記固定具と前記押さえ具により圧接され、前記固定具の前記開口部の方向への移動を規制する突部を内壁に備えていることを特徴とする［３］に記載の太陽光モジュール固定装置。
［５］前記押圧部は、第１太陽光モジュールの表面と係合する第１押圧部と、前記第１太陽光モジュールを固定した後に前記第１太陽光モジュールに隣接して設置される第２太陽光モジュールの表面と係合する第２押圧部とを備え、
前記第２押圧部の前記第２太陽光モジュールの表面に係合する第２係合面と前記支持板部との距離は、前記第１押圧部の前記第１太陽光モジュールの表面に係合する第１係合面と前記支持板部との距離よりも大きく形成されていることを特徴とする［１］に記載の太陽光モジュール固定装置。
［６］前記固定具は、前記太陽光モジュールを裏面側から接地するアース部を備えていることを特徴とする［１］に記載の太陽光モジュール固定装置。
［７］前記アース部は、前記押さえ具の前記押圧部と前記太陽光モジュールの厚み方向に重なる位置に設けられていることを特徴とする［６］に記載の太陽光モジュール固定装置。
［８］前記固定具は、前記太陽光モジュールとの間に前記ネジを収容するための凹部が設けられていることを特徴とする［１］に記載の太陽光モジュール固定装置。
［９］連続して配置される複数の太陽光モジュールを所定の位置に固定する太陽光モジュール固定装置であって、
前記太陽光モジュールの裏面と接し前記太陽光モジュールの並び方向に沿って互いに離間して配置される一対の支持板部と、前記一対の支持板部に対して前記太陽光モジュールから離間して前記一対の支持板部と略平行に設けられる板状の底部と、前記一対の支持板部と前記底部の互いに対向する２辺をつなぐように前記各辺から略垂直に延びた第１側壁及び第２側壁と、を備え、前記第１側壁及び前記第２側壁がその長手方向に沿って複数の連結孔を有する中空棒状のラック部材と、
前記一対の支持板部の間に配置され、前記太陽光モジュールを表面側から押さえる押圧部と、前記押圧部の前記太陽光モジュールに対向する面から略垂直に延び、且つ、前記ラック部材の長手方向と直交する面に沿って設けられる板状の延出部と、前記延出部の前記押圧部と反対側の端部に設けられ、前記ラック部材の幅方向、且つ、前記延出部の面に沿って延設される前記押圧部からの距離が異なる複数の貫通孔と、を備える押さえ具と、
前記連結孔及び前記貫通孔に挿通され前記押さえ具と前記ラック部材を連結する連結部材と、を有することを特徴とする太陽光モジュール固定装置。
【符号の説明】
【０１１１】
１…太陽光モジュール固定装置、１Ａ…太陽光モジュール固定装置、１Ｂ…太陽光モジュール固定装置、１Ｃ…太陽光モジュール固定装置、１Ｄ…太陽光モジュール固定装置、２…固定ユニット、２Ａ…固定ユニット、２Ｂ…固定ユニット、１０…押さえ具、１０Ａ…押さえ具、１０Ｂ…押さえ具、１１…延出部、１１Ａ…延出部、１１Ｂ…延出部、１２…第１押圧部、１３…支持部、１３Ａ…支持部、１３Ｂ…支持部、１４…第２押圧部、１５…押圧部、１５Ａ…押圧部、１５Ｂ…押圧部、１６…接触面、１７…ネジ孔、１７ａ…ネジ孔、１７ｂ…ネジ孔、１８…接触面、１９…貫通孔、１９ａ、１９ｂ、１９ｃ、１９ｄ…貫通孔、２０…固定具、２０Ａ…固定具、２２…アース部、２３…突起、２４…圧接部、２５…第１壁部、２６…ベース部、２６Ａ…ベース部、２７…第２壁部、２８…連結孔、３０…ネジ、３０Ａ…ネジ、３１…ワッシャ、３３…ワッシャ、４０…スペーサ、５０…アース部材、５０Ａ…アース部材、５１…突起、５３…段部、５４…壁部、５５…固定部、５７…孔、６１…角部、１００…太陽光モジュール、１００Ａ…第１太陽光モジュール、１００Ｂ…第２太陽光モジュール、１１０…表面、１２０…裏面、１３０…フレーム、１５０…太陽電池セル、２００…ラック部材、２００Ａ…ラック部材、２００Ｂ…ラック部材、２１０…支持板部、２３０…開口部、２４０…第１鍔部、２５０…第２鍔部、２７０…底部、２８０…連結孔、２９０…第１側壁、２９１…第２側壁、３００…化粧板、４００…固定金具、４１０…押圧部、４２０…ネジ、６００…ラック部材、６１０…支持面、６１１…圧接面、６３０…隙間、６５０…棒材、６５０Ａ…棒材、６５０Ｂ…棒材、６７０…土台 
【図１】
0005998190.tif 000002
【図２】
0005998190.tif 000003
【図３】
0005998190.tif 000004
【図４】
0005998190.tif 000005
【図５】
0005998190.tif 000006
【図６】
0005998190.tif 000007
【図７】
0005998190.tif 000008
【図８】
0005998190.tif 000009
【図９】
0005998190.tif 000010
【図１０】
0005998190.tif 000011
【図１１】
0005998190.tif 000012
【図１２】
0005998190.tif 000013
【図１３】
0005998190.tif 000014
【図１４】
0005998190.tif 000015
【図１５】
0005998190.tif 000016
【図１６】
0005998190.tif 000017